(57)【要約】      （修正有）【課題】建築現場における仮設用足場を立設する時に使用する足場主柱の単管の外周に所定間隔を設けて取付けてある受止突出部に支持される締め金具を、係止金具と係合鍵杆とによって支柱に強固に固定するようにした締め金具固定装置を提供する。【解決手段】締め金具３は、足場主柱１の外周に所定間隔を設けて受止突出部２を取付け、該足場主柱１の外周に昇降と回動の操作をする。該締め金具３には、固定部５と相対する可動部６とを形成し、該固定部５には、下辺に嵌合凹部９を設けると共に、一方に長片取付部１０を形成する。さらに、該長片取付部１０には、正面に軸受部１１を固定し、該軸受部１１には、垂直回動部１３と折曲係止杆を設けた係合鍵杆１２を回動自在に軸挿し、且つ該可動部６には、取付片７の内面に管状等の係止金具８を取付けて足場主柱の締め金具固定装置とする。【選択図】図２
0003175630.tif 000002
【実用新案登録請求の範囲】
【請求項１】
足場主柱（１）の外周に所定間隔を設けて受止突出部（２）（２）を取付け、該足場主柱（１）の外周に昇降と回動の操作をする締め金具（３）において、該締め金具（３）には、固定部（５）と相対する可動部（６）とを形成し、該固定部（５）には、下辺に嵌合凹部（９）を設けると共に、一方に長片取付部（１０）を形成し、該長片取付部（１０）には、正面に軸受部（１１）を固定し、該軸受部（１１）には、垂直回動部（１３）と折曲係止杆（１４）を設けた係合鍵杆（１２）を回動自在に軸挿し、且つ該可動部（６）には、取付片（７）の内面に管状等の係止金具（８）を取付けたことを特徴とする足場主柱の締め金具固定装置。
【考案の詳細な説明】
【技術分野】
【０００１】  本考案は、建築現場の仮設用の足場に使用する縦方向の主柱に手摺及び筋交い杆を取付けた締め金具を、簡単で確実強固に装着することを目的とした足場主柱の締め金具固定装置に関するものである。
【背景技術】
【０００２】  従来この種の仮設足場の組立作業及び解体作業においては、主柱に対して取付金具を取付け、又は取外しの作業をするものである。そして、この取付金具に対して手摺及び筋違い等の部材を順次取付けて上階に届く位置から組立て枠組して取付けしていたので、作業が大変に複雑で時間が掛かり、且つ部材等の墜落及び作業者の転落等が多々発生すると云う現状である。
【考案の概要】
【考案が解決しようとする課題】
【０００３】  従来の技術に於ける仮設足場の組立手順では、先に述べた如く、主柱を立設した後に、主柱に対して取付金具をクサビ等にて主柱に固定し、取付金具に手摺及び筋違い等を順次下方から吊り上げて組立位置を定める作業をするものである。従って、作業が大変に面倒で複雑なため、手間と時間が掛かるものであった。
本考案は、従来の複雑で危険な作業、及び大変に面倒で効率的でない主柱への取付金具の取付作業を解決したものであって、その主たる目的とする所は、足場主柱に取付ける上下に昇降及び回動する締め金具を支柱に簡単強固に締め付け、締め外しが簡単に出来る締め金具の固定装置を提供しようとするものである。
【課題を解決するための手段】
【０００４】  上記目的を達成するために、本考案の足場主柱に昇降自在と回動自在で所定位置に固定できる締め金具の固定装置において、仮設足場用の足場主柱は、上下に接続され、外周には所定間隔を設けて、受止突出部を取付けしてある。
該締め金具には、一方に固定部と相対する可動部を形成し、該固定部には、下辺に嵌合凹部を設け、長片取付部の表面に軸受部を取付けする。該軸受部には、内部に昇降自在と回動自在に操作できる係合鍵杆を挿入する。
該係合鍵杆には、垂直回動部と折曲係止杆を形成してある。
なお、該可動部には、折曲係止杆が嵌合する取付片の内面側に管状等の係止金具を取付けて締め付け固定するようになっている。
【考案の効果】
【０００５】  本考案は、以上の如く構成されているので、足場主柱の外周に所定間隔を設けて係止突出部を取着してあるので、手摺部及び筋違いを取付けた締め金具（クランプ）を自由自在に昇降して主柱の所定位置に簡単に固定できる効果がある。また、受止突出部を足場主柱に取着してあるので、ブラケットの取付ける作業もスケール等を使用せず該受止突出部に目視で簡単安全に取付作業ができると共に、単管パイプと締め金具によって手摺先行型足場が容易にできる効果もある。
更に、締め金具の一方長片取付部には、軸受部を固定し、内部に折曲係止杆を昇降自在に軸挿し、相対する取付片の内部に設けた管状等の係止金具に対して、折曲係止杆の昇降と回動の作動によって容易に締め金具を強固に固定又は開放できる便利な効果もある。
【図面の簡単な説明】
【０００６】
【図１】  本考案の足場主柱に締め金具に手摺部と筋違いとを取付けた開放した状態の一部欠除した側面図である。
【図２】  同じく本考案の足場主柱に締め金具を係合鍵杆を以って固定した状態の一部欠除した斜面図である。
【図３】  本考案の締め金具の締付状態の平面図である。
【図４】  同じく本考案の軸受部に係合鍵杆を昇降自在に挿入している斜面図である。
【考案を実施するための形態】
【０００７】  上記のように構成された、足場主柱に取付けた締め金具を上下に昇降又は回動自在で受止突出部に係止用の嵌合凹部に支持固定された後に、図３に示す係合鍵杆を上昇回動して図２に示す如く取付片の内部に取付けた管状体の係止金具に折曲係止杆を嵌合固定して該締め金具を足場主柱に強固に固定して取付けるものである。
【実施例】
【０００８】  次に、本考案の実施例について図面を参照して説明すると、図１において、足場主柱（１）は、断面形状が管状体を有し、上下が接続するように形成され、外周の縦方向に所定間隔を設けて締め金具（３）を支持する各種形状の受止突出部（２）（２）…を取付固定する。【０００９】  また、図２〜図４の実施例において、該締め金具（３）には、固定部（５）と回動する可動部（６）によって該足場主柱（１）に巻着され、且つ外周を回動したり昇降自在に作動する。
該固定部（５）には、下辺に該受止突出部（２）に嵌合する嵌合凹部（９）を形成すると共に、一方に突設した長片取付部（１０）には、表面に軸受部（１１）を固定し、その内部に回動自在な係合鍵杆（１２）を昇降自在に立設してある。該係合鍵杆（１２）には、昇降自在の垂直回動部（１３）と、係合する折曲係止杆（１４）とを形成してある。
更に、該固定部（５）と相対する可動部（６）には、取付片（７）の内面に管状等の係止金具（８）を縦方向に固着してある。【００１０】  また、図１に示す該長片取付部（１０）には、回動する手摺部（１７）を取付けると共に、該手摺部（１７）の先端には、隣接する足場主柱（１）に取付けた締め金具（３）に設けた係止凹部（１５）に係合する掛止金具（１６）を連結してある。該掛止金具（１６）には、筋違い（１８）を接続してある。なお、符号（１９）の筋違いは、該長片取付部（１０）の一部に連結されている。
【符号の説明】
【００１１】１            足場主柱
２            受止突出部
３            締め金具
５            固定部
６            可動部
７            取付片
８            係止金具
９            嵌合凹部
１０          長片取付部
１１          軸受部
１２          係合鍵杆
１３          垂直回動部
１４          折曲係止杆
１５          係止凹部
１６          掛止金具
１７          手摺部
１８、１９    筋違い
【図１】
0003175630.tif 000003
【図２】
0003175630.tif 000004
【図３】
0003175630.tif 000005
【図４】
0003175630.tif 000006